(57)【特許請求の範囲】
【請求項１】
電柱に取り付けられるカバー部材と、
光源を備える照明部と、
前記カバー部材内で、前記照明部が配置される個所に上下方向に沿って配置される昇降案内部材と、
前記照明部が取り付けられ、前記昇降案内部材に沿って移動可能に前記カバー部材内に配置される移動台と、
前記カバー部材内で、前記昇降案内部材の下方に配置されて操作用のハンドルが着脱自在な下部プーリと前記昇降案内部材の上方に配置された上部プーリとの間に前記移動台が取り付けられた無端部材を巻き掛けて形成され、前記移動台を前記案内部材に沿って最上位置である照明位置から、最下位置であるメンテナンス位置まで移動させる移動機構と、
前記下部プーリの配置個所に位置させて前記カバー部材に形成された、前記下部プーリに前記ハンドルを取り付けるための開口と、
前記メンテナンス位置に位置する前記移動台の配置位置に位置させて前記カバー部材に形成された、前記移動台をメンテナンスするための点検口と、
前記移動台に回転自在に取り付けられた制動片を付勢部で付勢して前記昇降案内部材に押し付けることで前記移動台の下降を制動し、前記制動片から前記点検口まで垂下された制動解除紐を下方に引くことで前記制動片を回転させて前記移動台の下降の制動を解除する制動装置と、
前記照明位置近傍に配置され、前記照明部に給電する電力供給端子部と、
前記移動台に配置され、前記照明位置において前記電力供給端子部に電気的に接続される電力入力端子部と、
を備えることを特徴とする照明装置。
【請求項２】
前記開口を開閉する蓋部材を備える、ことを特徴とする請求項１記載の照明装置。
【請求項３】
前記点検口を開閉する点検扉を備える、ことを特徴とする請求項１又は２記載の照明装置。
【発明の詳細な説明】
【技術分野】
【０００１】
本発明は照明装置に係り、特に光源を備える照明部を高所に配置した照明装置に関する。
【背景技術】
【０００２】
上述した照明装置は、街路灯、構内灯など屋外での照明に使用される。照明装置は、光源の交換がある他、このような照明装置は、屋外に配置されていることが多いことから、照明部の清掃を頻繁に行う必要がある。一般的にこのような電球の交換や清掃等のメンテナンス作業は、梯子や高所作業車を使用して、作業者が照明部近くまで移動して行うことが一般的である。
【０００３】
しかし、メンテナンスのため高所で作業を行うため梯子や高所作業車を準備するのは煩雑である。また、高所作業は危険である他、高所での作業性は良好ではない。そこで、このような問題を回避し、作業を容易に行えるようにするため、照明装置の照明部の高さを可変とした照明装置が提案されている。
【０００４】
特許文献１には、上端部に灯具を備えたポールを有し、該ポールを雌雄嵌合部を有する複数のポールエレメントと、各雌雄嵌合部にその嵌合量を確定するためのストッパ手段とを設け、ポールを各雌雄嵌合部の嵌合量の調整により伸縮できるようにしたものが記載されている。
【０００５】
また、特許文献２には、電球等を支柱から分離できるケースに収納し、このケースを支柱の内外等を通したワイヤー等で吊り下ろしメンテナンスを行いその後吊り上げて元の位置にセットできるようにするものが記載されている。
【０００６】
【特許文献１】特開平１１−２６０１２３号公報
【特許文献２】特開２００４−６１９５号公報
【発明の開示】
【発明が解決しようとする課題】
【０００７】
ところで、特許文献１のものにあっては、外灯が設置されたあとでも灯具の高さを設置現場や周囲の環境に合わせて容易に変更調整するためのものであるため、容易な操作で照明部の高さを変更することができない。
【０００８】
また、特許文献２のものにあっては、電球を備えた照明部をワイヤー等で吊すものであり、照明部が取り外しのショックや風などで揺れることとなり安定した状態で照明部を降下上昇させることができないという問題がある。
【０００９】
また、いずれのものも専用の支柱などの支持装置を備えるものであり、既存の電柱、壁などに簡単に取り付けることができるものではない。
【００１０】
本発明は、上記の課題を解決して、既存の照明取り付け個所に容易に取り付けることができると共に、照明部を容易かつ安定的に昇降させることができる照明装置を提供することを目的とする。
【課題を解決するための手段】
【００１１】
本発明は、上記の課題を解決するため、照明装置を、電柱に取り付けられるカバー部材と、光源を備えた照明部と、前記カバー部材内で、前記照明部の取り付け個所に上下方向に沿って配置される昇降案内部材と、前記照明部が取り付けられ、前記昇降案内部材に沿って移動可能に前記カバー部材内に配置される移動台と、前記カバー部材内で、前記昇降案内部材の下方に配置されて操作用のハンドルが着脱自在な下部プーリと前記昇降案内部材の上方に配置された上部プーリとの間に前記移動台が取り付けられた無端部材を巻き掛けて形成され、前記移動台を前記案内部材に沿って最上位置である照明位置から、最下位置であるメンテナンス位置まで移動させる移動機構と、前記下部プーリの配置個所に位置させて前記カバー部材に形成された、前記ハンドルを前記下部プーリに取り付けるための開口と、前記メンテナンス位置に位置する前記移動台の配置位置に位置させて前記カバー部材に形成された、前記移動台をメンテナンスするための点検口と、前記移動台に回転自在に取り付けられた制動片を付勢部で付勢して前記昇降案内部材に押し付けることで前記移動台の下降を制動し、前記制動片から前記点検口まで垂下された制動解除紐を下方に引くことで前記制動片を回転させて前記移動台の下降の制動を解除する制動装置と、前記照明位置近傍に配置され、前記照明部に給電する電力供給端子部と、前記移動台に配置され、前記照明位置において前記電力供給端子部に電気的に接続される電力入力端子部と、を備えるものとした。
【発明の効果】
【００１３】
本発明に係る照明装置によれば、照明装置は既存の取り付け個所にそのまま容易に取り付けることができる他、その照明部は昇降案内部材に沿って昇降するため安定して照明部の降下上昇操作を行うことができる。
【００１４】
また、本発明によれば、保安性を高めることができる。
【発明を実施するための最良の形態】
【００１５】
以下、照明装置の実施の形態を図面にもとづいて説明する。図１は第１の実施の形態例に係る照明装置の全体構成を示す側面図である。本例に係る照明装置は電力が供給される支柱例えば電柱に取り付けられる。本例では、照明装置１００は、電柱１０に取付ベルト１１，１２，１３を使用して固定される。なお、本例では照明装置１００は電柱１０に取り付けるものとしているが、建物の壁面その他の構造物に取り付けることができる。
【００１６】
本例に係る照明装置１００は、図示していない電球、反射部材、覆い部材等からなる照明部１１０と、この照明部１１０が取り付けられ、前記電柱１０に固定されるカバー部材１２０と、前記照明部１１０が固定される移動台１３０とを備える。
【００１７】
以下本例に係る照明装置１００の機構について説明する。図２は図１に示した照明装置の内部機構を示す機構説明図、図３は図１に示した照明装置の下部を示す一部切欠正面図、図４は図１に示した照明装置の図１中Ａ−Ａ線に相当する断面図である。
【００１８】
本例は、カバー部材１２０は上下方向に長いボックス状の部材であり鋼板などで板金加工で形成されている。また、カバー部材１２０内には、垂直方向に前記カバー部材１２０を案内する平板状の案内部材である昇降案内部材１２１が設けられている。カバー部材１２０には、その一面に垂直方向のスリット１２５が開設され、前記移動台１３０がこのスリット１２５に沿って移動できるように構成されている。また、移動台１３０には案内ローラ１３２が回動自在に軸支され、移動台１３０が前記昇降案内部材１２１に沿って円滑に移動できるようになっている。
【００１９】
また、カバー部材１２０には、前記移動台１３０を前記昇降案内部材１２１に沿って昇降させる移動機構１５０を配置している。この移動機構１５０は移動台１３０を昇降案内部材１２１に沿って最上位置である照明位置から、最下位置であるメンテナンス位置まで移動させるものである。
【００２０】
移動機構１５０は前記メンテナンス位置下方に配置される回転駆動部材である歯付の下部プーリ１５１と、前記メンテナンス位置の下方に配置される転向部材である歯付の上部プーリ１５２と、これらの下部プーリ１５１、上部プーリ１５２に巻き掛けられると共に、前記移動台１３０に結合された無端部材である歯付のベルト１５３とを備える。
【００２１】
ここで、下部プーリ１５１には、ハンドル１５５が取り外し可能に装着でき、作業者がハンドル１５５により下部プーリ１５１を駆動することにより、移動台１３０を前記照明位置から前記メンテナンス位置まで移動できるようになっている。
【００２２】
なお、本例では下部プーリ１５１には、係止ピン１５６を挿脱可能に配置し、移動台１３０が照明位置に移動した状態で、下部プーリ１５１に係止ピン１５６を挿入することにより下部プーリ１５１の回動を禁止できるものとしている。
【００２３】
また、カバー部材１２０には、前記下部プーリ１５１にハンドル１５５を取り付け回転駆動させるための開口が設けられると共に、この開口を開閉する蓋部材である扉１２３が設けられている。また、カバー部材１２０の下方には、移動台１３０が下降してきて当接し、移動台１３０をメンテナンス位置に保持するストッパ１２２が配置されている他、メンテナンス位置に配置された移動台１３０をメンテナンスするための点検口が開設されこの点検口を開閉する点検扉１２４が配置されている。
【００２４】
さらに、カバー部材１２０の上方には、移動台１３０が上昇してきて当接して照明位置で停止させると共に、前記照明部に照明用の電力を供給する電力供給端子部１４０が配置されている。この電力供給端子部１４０には、移動台１３０に設けられたプラグ刃状の電力入力端子部１３１が挿入され、電気的に接続されるコンセント刃受部状の電力出力端子１４１が設けられている。なお電力供給端子部１４０には、給電線１４２から電力が供給されている。
【００２５】
そして、移動台１３０には、この移動台１３０の下方への移動を制動する制動装置１６０を配置している。この制動装置１６０は、移動台１３０に軸１６２で軸支された制動片１６１と制動片１６１から垂下された制動解除紐とを備える。前記制動片１６１は図示していない付勢手段で常時昇降案内部材１２１に接触するように付勢されており、点検扉１２４を開いて点検口からロック解除紐１６３を下方に引くことにより制動片１６１が昇降案内部材１２１から離れ制動が解除される。また、本例では、昇降案内部材１２１には、前記移動台１３０が照明位置に配置されたとき、制動片１６１の先端が係合する凹部１６４を設け、移動台１３０が確実に照明位置に固定されるものとしている。
【００２６】
次に本例に係る照明装置１００の動作について説明する。本例では照明装置１００の非メンテナンス時には、移動台１３０が照明位置に固定されている。このとき、制動装置１６０の制動片１６１の先端は昇降案内部材１２１の凹部１６４に係合している他、下部プーリ１５１には、係止ピン１５６が挿入された状態であり、移動機構１５０は固定された状態となっている。
【００２７】
また、カバー部材１２０の扉１２３及び点検扉１２４も閉状態として施錠された状態となっている。
【００２８】
一方、照明装置１００のメンテナンスを行うときには、作業者は、扉１２３と点検扉１２４とを開き、下部プーリ１５１から係止ピン１５６を抜き、下部プーリ１５１にクランク状のハンドル１５５を差し込む。そして、点検口からロック解除紐１６３を引き、制動装置１６０の制動片１６１を凹部１６４から解除しつつ、ハンドル１５５を回転させて、移動台１３０を下降させる。このとき、移動台１３０の電力入力端子部１３１は、電力供給端子部１４０の電力出力端子１４１から外れ、照明部１１０への電力供給は遮断される。
【００２９】
そして、移動台１３０がストッパ１２２に接触する位置即ちメンテナンス位置で照明部１１０の電球の交換、照明部１１０の清掃などのメンテナンス作業を行う。
【００３０】
メンテナンス作業のあとに、作業者は、上記操作を行い、ロック解除紐１６３を引きつつハンドル１５５を逆方向に回転させて、移動台１３０を昇降案内部材１２１にそって照明位置まで上昇させる。移動台１３０が照明位置まで移動させられると、移動台１３０の電力入力端子部１３１が電力供給端子部１４０の電力出力端子１４１に差し込まれて照明部１１０に電力が供給される状態となる。また、制動装置１６０の制動片１６１の先端が昇降案内部材１２１の凹部１６４に係合して、移動台１３０は照明位置に固定される。
【００３１】
次に、第２の実施の形態に係る照明装置について説明する。図５は第２の実施の形態に係る照明装置の全体構成を示す正面図である。本例に係る照明装置２００は、照明部２１０が取り付けられた移動台２５０が、電柱１０に取付ベルト１１，１２で固定された固定案内部である取付部２３０に配置されている。照明部２１０は、図示していない電球、反射部材、覆い部材等からなる。取付部２３０上部には本体機構部２２０が配置されている。この本体機構部２２０には、取付部２３０を昇降させる昇降機構と電力供給端子部２５５とが配置されている。また、取付部２３０には、その下部に垂下部であるガイドレール２４０が取り付け取り外し可能に配置できる。
【００３２】
ガイドレール２４０は、本体２４１の上端に差込部２４２が形成され、この差込部２４２を取付部２３０の空間部２３３に差し込むことにより、取付部２３０に取り付けられる他、取付ベルト１３で電柱１０に固定できるものとしている。本例では、取付ベルト１３は電柱１０にあらかじめとりつけられており、必要に応じてガイドレール２４０にボルト等で固定できるように構成される。
【００３３】
即ち、このガイドレール２４０を取付部２３０に取り付けた状態で、移動台２５０はガイドレール２４０に沿って照明位置から下降してガイドレール２４０の下端まで移動でき、さらにガイドレール２４０から取り外すことができる。
【００３４】
また、ガイドレール２４０には、後述するローラ２５１の案内溝２４３が形成されている。なお、このガイドレール２４０は持ち運びを容易にするため軽量材、例えばアルミニウムで形成し、分割式のものを組み立てるようにすることが望ましい。
【００３５】
図６は図５に示した照明装置２００の構成を示す機構説明図であり、（ａ）は取付部が照明位置に配置された状態を示す説明図、（ｂ）は取付部を降下させるときの説明図、（ｃ）は取付部を上昇させるときの説明図、図７は図６（ｂ）中のＢ−Ｂ線に相当する断面図である。
【００３６】
本体機構部２２０はカバー部材２２１内に滑車２２２が配置され、滑車２２２には紐部材２２３が掛け渡されており、紐部材２２３を作業者が引いたり緩めたりすることにより移動台２５０を上げ下ろしできる。
【００３７】
本例では、移動台２５０にはロック装置２７０が内蔵されている他、図示しない電力入力端子部が配置されている。このロック装置２７０は内部空間部２７４内にロック棒２７２が軸２７１で先端が下方を向くロック位置から先端が上方を向く解放位置まで回動自在に配置されてなるものであり、バネ２７３で先端が下方位置に回動するよう付勢されている。
【００３８】
取付部２３０には、上下方向に沿って空間部２３３が形成されており、この空間部２３３にはシャッタ部材２６０が上下方向に摺動可能に配置されている。空間部２３３の下方からは、前記ガイドレール２４０の差込部２４２を差し込むことができるよう下方に向け開口を備える。なお、空間部２３３には、シャッタ部材２６０の開口からの落下を防止する図示していない係止部が設けられている。
【００３９】
シャッタ部材２６０は、略板状の部材であり、前記ロック棒２７２の先端ロック位置に回動したとき接触する本体上部２６１と、この本体上部２６１の下方に位置し、前記ロック棒２７２が解除位置に回動したとき、その先端が接触しないように開設された窓部２６２とを備える。
【００４０】
また、シャッタ部材２６０は、ガイドレール２４０が差し込まれない状態において、自重で取付部２３０の空間部２３３の最下部に位置し、その本体上部２６１に前記ロック位置のロック棒２７２の先端が接触して、移動台２５０は下方に移動できない状態となる。一方ガイドレール２４０の差込部２４２が空間部２３３に差し込まれると、図６（ｂ）に示すように、シャッタ部材２６０は差込部２４２に押されて上方に移動し、ロック棒２７２はバネ２７３で窓部２６２内を上方に回動して解放位置に移動する。この状態で、取付部２３０は下方に移動可能な状態となる。
【００４１】
なお、移動台２５０にはローラ２５１が設けられており、取付部２３０に形成された案内溝２３２と、ガイドレール２４０の案内溝２４３に案内され、移動台２５０を円滑に昇降させる。
【００４２】
次に本例に係る照明装置２００の動作について説明する。通常の照明状態において、照明部２１０を取り付けた取付部２３０は、本体機構部２２０の紐部材２２３により上方に吊り上げられた状態で、ロック装置２７０の軸２７１がロック位置で空間部２３３の最下部に位置するシャッタ部材２６０の本体上部２６１に接触してロック状態となっている。この状態において、電力供給端子部２５５は図示していない電力入力端子と結合して照明部２１０に電力が供給されている。
【００４３】
メンテナンスを行うには、取付部２３０にガイドレール２４０を取り付ける。この状態で、移動台２５０はガイドレール２４０に沿って下降できる状態となるので、紐部材２２３を固定しておくか、引いた状態にしておき、取付部２３０の突然の下降を防止する必要がある。
【００４４】
すると、図６（ｂ）に示すように、空間部２３３内において、シャッタ部材２６０は差込部２４２により上方に押し上げられ、ロック棒２７２の先端がシャッタ部材２６０の窓部２６２に配置されることになり、ロック棒２７２は、バネ２７３で解放位置に回動される。
【００４５】
そして、紐部材２２３を緩めると、移動台２５０は取付部２３０からガイドレール２４０に下降し、さらにガイドレール２４０に沿って降下する。このときローラ２５１が案内溝２４３に案内されるので、移動台２５０はガイドレール２４０にそって円滑に下降する。また、移動台２５０が下降すると上述した第１の例と同様に電力供給端子部２５５から図示していない電力入力端子部が外れる。
【００４６】
さらに紐部材２２３を緩め、移動台２５０をガイドレール２４０の最下部まで下降させ、移動台２５０をガイドレール２４０から取り外した状態で、必要なメンテナンスを行う。そして、メンテナンス終了後、移動台２５０をガイドレール２４０に取り付ける。この際、図６（ｃ）に示すように、ロック棒２７２は作業者により上方に回動した状態にされて、移動台２５０をガイドレール２４０に取り付けられる。これにより、移動台２５０は上昇可能ではあるが下降不可能な状態でガイドレール２４０に取り付けられることとなる。そして、紐部材２２３を引いて、移動台２５０をガイドレール２４０に沿って上昇させ、移動台２５０をガイドレール２４０の最上部まで引き上げ、さらに移動台２５０が取付部２３０に移動した状態で、取付ベルト１３とガイドレール２４０との結合を解除し、ガイドレール２４０を取付部２３０から取り外す。
【００４７】
すると、シャッタ部材２６０は自重で空間部２３３内において最下部に移動する。このまま、移動台２５０を上昇させ照明位置に至らせると、ロック棒２７２は窓部２６２を乗り越え本体上部２６１に接触してロック位置になる。これにより、照明部２１０が取り付けられた移動台２５０は照明位置に固定され、電力供給端子部２５５と電力入力端子部とが結合する。これでメンテナンス作業は終了する。
【００４８】
従って、本例に係る照明装置２００によれば、ガイドレール２４０を、取付部２３０から取り付け取り外し可能としているので、メンテナンスを行うときだけガイドレール２４０を取り付け、通常の照明装置使用時にはガイドレール２４０を照明装置２００から取り外ししておくことができ、通常使用時には照明部２１０を降下させることができなくなり保安性を高めることができる。
【図面の簡単な説明】
【００４９】
【図１】第１の実施の形態例に係る照明装置の全体構成を示す側面図である。
【図２】図１に示した照明装置の内部機構を示す機構説明図である。
【図３】図１に示した照明装置の下部を示す一部切欠正面図である。
【図４】図１に示した照明装置の図１中Ａ−Ａ線に相当する断面図である。
【図５】第２の実施の形態に係る照明装置２００の全体構成を示す正面図である。
【図６】図５に示した照明装置２００の構成を示す機構説明図であり、（ａ）は取付部が照明位置に配置された状態を示す説明図、（ｂ）は取付部を降下させるときの説明図、（ｃ）は取付部を上昇させるときの説明図である。
【図７】図６（ｂ）中のＢ−Ｂ線に相当する断面図である。
【符号の説明】
【００５０】
１０    電柱（設置個所）
１００    照明装置
１１０    照明部
１２０    カバー部材
１２１    昇降案内部材
１２２    ストッパ
１２３    扉
１２４    点検扉
１２５    スリット
１３０    移動台
１３１    電力入力端子部
１４０    電力供給端子部
１５０    移動機構
１５１    下部プーリ（回転駆動部材）
１５２    上部プーリ（転向部材）
１５３    ベルト（無端部材）
１５５    ハンドル
１６０    制動装置
１６２    軸
２００    照明装置
２１０    照明部
２３０    取付部（固定案内部）
２４０    ガイドレール（垂下部）
【図１】
0004637783.tif 000002
【図２】
0004637783.tif 000003
【図３】
0004637783.tif 000004
【図４】
0004637783.tif 000005
【図５】
0004637783.tif 000006
【図６】
0004637783.tif 000007
【図７】
0004637783.tif 000008